(57)【要約】【課題】長時間の使用においても、光学レンズが外れることがなく、長時間使用しても耐久性の高い照明モジュールを提供する。【解決手段】ＬＥＤを発光素子として使用する照明モジュール１０において、照明モジュール１０は、ＬＥＤ発光体４１と、ＬＥＤ発光体４１を搭載するＬＥＤ取付基板４０と、ＬＥＤ取付基板４０を保持するフレーム部材２０と、ＬＥＤ発光体４１を覆うレンズ部材３０と、フレーム部材２０に取付けられてレンズ部材３０を保持するレンズ保持部材５０を有する。レンズ保持部材５０は、レンズ部材３０の周囲を保持するレンズ押圧部５１と、レンズ押圧部５１の外周に一体的にレンズ押圧部５１を挟んで、長手方向の両側に対向するように設けられフレーム部材２０に係合するフレーム係合部５２が形成される。【選択図】図３
2018041574.tif 000002
【特許請求の範囲】
【請求項１】
ＬＥＤを発光素子として使用する照明モジュールにおいて、
該照明モジュールは、ＬＥＤ発光体と、該ＬＥＤ発光体を搭載するＬＥＤ取付基板と、該ＬＥＤ取付基板を保持するフレーム部材と、上記ＬＥＤ発光体を覆うレンズ部材と、上記フレーム部材に取付けられて上記レンズ部材を保持するレンズ保持部材を有し、
該レンズ保持部材は、上記レンズ部材の周囲を保持するレンズ押圧部と、該レンズ押圧部の外周に一体的に上記レンズ押圧部を挟んで長手方向の両側に対向するように設けられ上記フレーム部材に係合するフレーム係合部が形成されることを特徴とする照明モジュール。
【請求項２】
上記レンズ保持部材は、上記フレーム係合部と、上記レンズ押圧部と、上記フレーム係合部が順に長手方向に直線状に配置された請求項1に記載の照明モジュール。
【請求項３】
上記レンズ保持部材の上記フレーム係合部は、上記レンズ押圧部から一体的に延設され平面状に形成されるレンズ係合平面部と、該レンズ係合平面部の幅方向の両側に形成され、上記フレーム部材の側部に係合するフレーム係合取付部を有する請求項1又は請求項２に記載の照明モジュール。
【請求項４】
上記フレーム係合取付部は、上記レンズ係合平面部から屈曲して下面側に延設され、先端に上記フレーム部材の凹部に係止されるフレーム係合取付係止爪部が形成された請求項３に記載の照明モジュール。
【請求項５】
上記レンズ押圧部は、中心に上記レンズ部材の中心が突出可能に、レンズ保持孔が形成された請求項１乃至４のいずれか１項に記載の照明モジュール。
【請求項６】
上記フレーム部材は、長尺状に形成され、上記ＬＥＤ発光体と上記レンズ部材と上記レンズ保持部材は、１個ずつ一組として組み付けられて、一組の上記ＬＥＤ発光体と上記レンズ部材と上記レンズ保持部材は、上記フレーム部材に所定の間隔を置いて複数個並べて取付けられた請求項１乃至５のいずれか１項に記載の照明モジュール。
【請求項７】
上記一組の上記ＬＥＤ発光体と上記レンズ部材と上記レンズ保持部材は、長尺状の上記フレーム部材の上下の面にそれぞれ所定の間隔を置いて複数個並べて取付けられた請求項６に記載の照明モジュール。
【請求項８】
上記レンズ部材は、底部の周囲から横方向に複数のレンズ部材張出部が形成され、該レンズ部材張出部を上記レンズ保持部材の上記レンズ押圧部が押圧して保持する請求項１乃至の請求項７いずれか１項に記載の照明モジュール。
【請求項９】
上記レンズ保持部材の裏面に補強リブが形成された請求項１乃至８のいずれか１項に記載の照明モジュール。
【請求項１０】
上記フレーム部材の外周の全体に、パイプ状の透光性カバー部材が取付けられた請求項１乃至９のいずれか１項に記載の照明モジュール。
【請求項１１】
上記ＬＥＤ発光体は、蛍光体により白色又は電球色に発光する請求項１乃至１０のいずれか１項に記載の照明モジュール。
【発明の詳細な説明】
【技術分野】
【０００１】
本発明は、ＬＥＤ（発光ダイオード）を使用した照明モジュールに関するものであり、特にＬＥＤ発光体を覆うレンズ部材を確実に保持することができる照明モジュールに関するものである。
【背景技術】
【０００２】
従来、照明装置としては、白熱電灯や蛍光灯等が使用されてきた。しかしながら、近年省エネルギーの観点から、ＬＥＤを使用した照明モジュールが使用されるようになってきた。このＬＥＤを使用した照明モジュールは、発光効率がよく、発光寿命も長いため急速に普及している。
【０００３】
このＬＥＤを使用した照明モジュールは、例えば、素子基板の上に、プリント基板を置き、その上にＬＥＤチップをのせて、ＬＥＤチップを、蛍光体を含有した封止部材で覆うものがある。更に、ＬＥＤチップに発光量も大きくなり、ＬＥＤ発光体の発光方向に、光の屈折を利用して、配光を制御するための光学レンズを設けている。（例えば、特許文献１参照。）。
【０００４】
また、このＬＥＤを使用した照明モジュール１１０は、長尺状の照明装置として、例えば、長尺状のフレームにＬＥＤチップを取付けて管状の物品カバー部材装着されているものがある（例えば、特許文献２参照。）。
この場合に、図９に示すように、ＬＥＤチップ１４１は、取付基板１４０の上に取付けられて、光学レンズ１３０がＬＥＤチップ１４１を覆って取付けられている。
【０００５】
この光学レンズ１３０は、裏面に取付脚部１３１を延出させて、取付脚部１３１を接着剤１４３により取付基板１４０に接着している。
しかしながら、この照明モジュール１１０は、屋外照明等にも使用され、また、ＬＥＤチップ１４１も発熱するため、接着剤１４３が劣化して、光学レンズ１３０が取付基板１４０から外れる場合があった。
【先行技術文献】
【特許文献】
【０００６】
【特許文献１】特開２０１３−３３８９０号公報
【特許文献２】特開２０１５−１７３００７号公報
【発明の開示】
【発明が解決しようとする課題】
【０００７】
本発明は、長時間の使用においても、光学レンズが外れることがなく、長時間使用しても耐久性の高い照明モジュールを提供することを目的とする。
【課題を解決するための手段】
【０００８】
上記課題を解決するために請求項１の本発明は、ＬＥＤを発光素子として使用する照明モジュールにおいて、
照明モジュールは、ＬＥＤ発光体と、ＬＥＤ発光体を搭載するＬＥＤ取付基板と、ＬＥＤ取付基板を保持するフレーム部材と、ＬＥＤ発光体を覆うレンズ部材と、フレーム部材に取付けられてレンズ部材を保持するレンズ保持部材を有し、
レンズ保持部材は、レンズ部材の周囲を保持するレンズ押圧部と、レンズ押圧部の外周に一体的にレンズ押圧部を挟んで、長手方向の両側に対向するように設けられフレーム部材に係合するフレーム係合部が形成されることを特徴とする照明モジュールである。
【０００９】
請求項１の本発明では、ＬＥＤを発光素子として使用する照明モジュールにおいて、  照明モジュールは、ＬＥＤ発光体と、ＬＥＤ発光体を搭載するＬＥＤ取付基板と、ＬＥＤ取付基板を保持するフレーム部材と、ＬＥＤ発光体を覆うレンズ部材と、フレーム部材に取付けられてレンズ部材を保持するレンズ保持部材を有する。このため、ＬＥＤ発光体をＬＥＤ取付基板で保持して通電させ、フレーム部材でＬＥＤ取付基板を保持する。さらに、ＬＥＤ取付基板の表面で、ＬＥＤ発光体から出る光を反射して、光の均一性を向上させることができる。また、レンズ部材でＬＥＤ発光体から出る光を調整し、レンズ部材をレンズ保持部材でフレーム部材に保持することができる。
【００１０】
レンズ保持部材は、レンズ部材の外周を保持するレンズ押圧部と、レンズ押圧部の周囲に一体的にレンズ押圧部を挟んで長手方向の両側に対向するように設けられフレーム部材に係合するフレーム係合部が形成される。このため、レンズ保持部材のレンズ押圧部でレンズ部材の周囲を保持して、フレーム係合部でレンズ保持部材をフレーム部材に取付けることにより、レンズ部材を確実にフレーム部材に保持することができる。なお、長手方向とはレンズ保持部材のフレーム係合部、レンズ押圧部及びフレーム係合部が並んで形成された並び方向である。
【００１１】
請求項２の本発明は、レンズ保持部材は、フレーム係合部と、レンズ押圧部と、フレーム係合部が長手方向に順に直線状に配置された照明モジュールである。
【００１２】
請求項２の本発明では、レンズ保持部材は、フレーム係合部と、レンズ押圧部と、フレーム係合部が長手方向に順に直線状に配置されたため、長尺状のフレーム部材においても、多数個のレンズ保持部材を取付けることができ、フレーム部材の長手方向に沿って、レンズ押圧部の前後をフレーム係合部で保持することができ、レンズ部材を確実にフレーム部材に保持することができる。
【００１３】
請求項３の本発明は、レンズ保持部材のフレーム係合部は、レンズ押圧部から一体的に延設され、平面状に形成されるレンズ係合平面部と、レンズ係合平面部の幅方向の両側に形成され、フレーム部材の側部に係合するフレーム係合取付部を有する照明モジュールである。
【００１４】
請求項３の本発明では、レンズ保持部材のフレーム係合部は、レンズ押圧部から一体的に平面状に形成されるレンズ係合平面部と、レンズ係合平面部の幅方向の両側に形成され、フレーム部材の側部に係合するフレーム係合取付部を有する。このため、レンズ係合平面部でＬＥＤ発光体から出る光を反射することができ、照明光を強くすることができる。また、レンズ係合平面部の色を変えることにより、反射光の色を変えて、照明光の色調を変えることができる。レンズ係合平面部を黒くすると、反射光を弱くして、照明光をマイルドにすることができる。
さらに、フレーム係合取付部をレンズ係合平面部の長さに応じて所定の幅で形成することができ、フレーム係合取付部の保持力を確保することができる。なお、レンズ係合平面部の幅方向とは、レンズ保持部材の長手方向と直交する方向である。
【００１５】
請求項４の本発明は、フレーム係合取付部は、レンズ係合平面部から屈曲して下面側に延設され、先端にフレーム部材の凹部に係止されるフレーム係合取付係止爪部が形成された照明モジュールである。
【００１６】
請求項４の本発明では、フレーム係合取付部は、レンズ係合平面部から屈曲して下面側に延設され、先端にフレーム部材の凹部に係止されるフレーム係合取付係止爪部が形成された。このため、フレーム係合取付部のレンズ係合平面部から屈曲して下面側に延設された部分で、弾性的に撓んで容易にフレーム部材を挟んで取付けることができるとともに、フレーム係合取付係止爪部がフレーム部材の凹部に係止されて、確実にレンズ保持部材をフレーム部材に係止することができる。
【００１７】
請求項５の本発明は、レンズ押圧部は、中心にレンズ部材の中心が突出可能に、レンズ保持孔が形成された照明モジュールである。
【００１８】
請求項５の本発明では、レンズ押圧部は、中心にレンズ部材の中心が突出可能に、レンズ保持孔が形成されたため、レンズ保持孔からレンズ部材を突出させて、レンズ部材を保持するとともに、ＬＥＤ発光体の光をレンズ保持孔から効率よく放射することができる。
【００１９】
請求項６の本発明は、フレーム部材は、長尺状に形成され、ＬＥＤ発光体とレンズ部材とレンズ保持部材は、１個ずつ一組として組み付けられて、一組のＬＥＤ発光体とレンズ部材とレンズ保持部材は、フレーム部材に所定の間隔を置いて複数個並べて取付けられた照明モジュール。
【００２０】
請求項６の本発明では、フレーム部材は、長尺状に形成され、ＬＥＤ発光体とレンズ部材とレンズ保持部材は、１個ずつ一組として組み付けられたため、１個のＬＥＤ発光体とレンズ部材を１個のレンズ保持部材で保持することができる。
一組のＬＥＤ発光体とレンズ部材とレンズ保持部材は、フレーム部材に所定の間隔を置いて複数個並べて取付けられたため、長尺の照明モジュールにおいても、長手方向に略均一に発光させることができる。
【００２１】
請求項７の本発明は、一組のＬＥＤ発光体とレンズ部材とレンズ保持部材は、長尺状のフレーム部材の上下の面にそれぞれ所定の間隔を置いて複数個並べて取付けられた照明モジュールである。
【００２２】
請求項７の本発明では、一組のＬＥＤ発光体とレンズ部材とレンズ保持部材は、長尺状のフレーム部材の上下の面にそれぞれ所定の間隔を置いて複数個並べて取付けられた。このため、フレーム部材の両面から発光させることができ、照明モジュールの両側で発光させることができる。
【００２３】
請求項８の本発明は、レンズ部材は、底部の周囲から横方向に複数のレンズ部材張出部が形成され、レンズ部材張出部をレンズ保持部材のレンズ押圧部が押圧して保持する照明モジュールである。
【００２４】
請求項８の本発明では、レンズ部材は、底部の周囲から横方向に複数のレンズ部材張出部が形成され、レンズ部材張出部をレンズ保持部材のレンズ押圧部が押圧して保持する。このため、レンズ押圧部がレンズ部材からの発光を妨げることなく、レンズ部材張出部を押圧して、確実にレンズ部材を保持することができる。
【００２５】
請求項９の本発明は、レンズ保持部材の裏面に補強リブが形成された照明モジュールである。
【００２６】
請求項９の本発明では、レンズ保持部材の裏面に補強リブが形成されたため、レンズ保持部材の剛性が向上して、レンズ押圧部が確実にレンズ部材を保持するとともに、フレーム係合部がフレーム部材に係合することができる。
【００２７】
請求項１０の本発明は、フレーム部材の外周の全体に、パイプ状の透光性カバー部材が取付けられた照明モジュールである。
【００２８】
請求項１０の本発明では、フレーム部材の外周の全体に、パイプ状の透光性カバー部材が取付けられたため、長尺状の照明モジュールの全体を透光性カバー部材で覆うことができ、照明モジュールを保護するとともに、長手方向に略均一に或いは所定の色調で発光させることができる。
【００２９】
請求項１１の本発明は、ＬＥＤ発光体は、蛍光体により白色又は電球色に発光する照明モジュールである。
【００３０】
請求項１１の本発明では、ＬＥＤ発光体は、蛍光体により白色又は電球色に発光するため、白色又は電球色を効果的に放出することができ、照明モジュールを照明等に幅広く使用することができる。
【発明の効果】
【００３１】
レンズ保持部材は、レンズ保持部材のレンズ押圧部でレンズ部材の周囲を保持して、フレーム係合部でレンズ保持部材をフレーム部材に取付けることにより、レンズ部材を確実にフレーム部材に保持することができる。
【図面の簡単な説明】
【００３２】
【図１】本発明の実施の形態に係る、照明モジュールの平面図である。
【図２】本発明の実施の形態に係る、照明モジュールの長手方向の断面図であり、図１のII−II線に沿った断面図である。
【図３】本発明の実施の形態に係る、照明モジュールの幅方向の断面図であり、図１のIII−III線に沿った断面図である。
【図４】本発明の実施の形態に係る、照明モジュールに使用するレンズ部材の平面図である。
【図５】本発明の実施の形態に係る、照明モジュールに使用するレンズ保持部材の斜め上方から見た斜視図である。
【図６】本発明の実施の形態に係る、照明モジュールに使用するレンズ保持部材の平面図である。
【図７】本発明の実施の形態に係る、照明モジュールに使用するレンズ保持部材の裏面図である。
【図８】本発明の実施の形態に係る、照明モジュールに使用するフレーム部材の幅方向の断面図である。
【図９】従来の照明モジュールのレンズ部材とＬＥＤ発光体の断面図である。
【発明を実施するための形態】
【００３３】
本発明の実施の形態の照明モジュール１０を図１〜図８に基づき説明する。
本発明の実施の形態の照明モジュール１０は、図１と図２に示すように、長尺状に形成されている。本発明は、長尺状の照明モジュール１０のみではなく、リング状の照明モジュール１０や、１個のＬＥＤ発光体４１、レンズ部材３０及びレンズ保持部材５０を有する照明モジュール１０にも使用することができる。
【００３４】
本実施の形態の照明モジュール１０は、フレーム部材２０にＬＥＤ発光体４１が取付けられたＬＥＤ取付基板４０に取付けられており、レンズ部材３０がＬＥＤ発光体４１を覆い、そのレンズ部材３０をレンズ保持部材５０が保持して、一組の発光部材となり、この一組の発光部材がフレーム部材２０の長手方向に所定の間隔を有して多数個取り付けられている。フレーム部材２０、レンズ部材３０及びレンズ保持部材５０の詳細な形状については後述する。
【００３５】
照明モジュール１０の先端は、差し込みキャップ１１が取付けられている。差し込みキャップ１１には、電源接続ピン１２が取付けられて、電源接続ピン１２に接続して、内部には差し込みソケット１３が取り付けられている。差し込みソケット１３には、ＬＥＤ取付基板４０が接続されて、ＬＥＤ発光体４１に通電している。
【００３６】
図２に示すように、本実施の形態では、一組のＬＥＤ発光体４１とレンズ部材３０とレンズ保持部材５０は、長尺状のフレーム部材２０の上下の面にそれぞれ所定の間隔を置いて複数個並べて取付けられている。このため、フレーム部材２０の両面から発光させることができ、照明モジュール１０の両側で発光させることができる。
なお、長尺状のフレーム部材２０の一方の面のみに一組のＬＥＤ発光体４１とレンズ部材３０とレンズ保持部材５０を所定の間隔を置いて複数個並べて取付けることもできる。
【００３７】
フレーム部材２０と、ＬＥＤ発光体４１とレンズ部材３０とレンズ保持部材５０を含んで全体を、パイプ状の透光性カバー部材１４が取付けられている。透光性カバー部材１４は、長尺状の照明モジュール１０の全体を覆っている。このため、照明モジュール１０を保護するとともに、レンズ部材３０を通して放射された光を透光性カバー部材１４でさらに長手方向に略均一放射することができる。また、透光性カバー部材１４を着色して所定の色調で発光させることができる。
【００３８】
次に、フレーム部材２０、レンズ保持部材５０及びレンズ部材３０の詳細な形状について説明し、更に、フレーム部材２０への取付構造について説明する。
フレーム部材２０は、本実施の形態では、アルミニウム製で、押出成形により長尺状に形成されている。断面形状は、図８に示すように、内部に断面長方形のフレーム中空部２６を有する長方形である。上下の面（図８において上下方向の面）は後述するＬＥＤ取付基板４０、ＬＥＤ発光体４１及びレンズ部材３０が取付けられるフレーム取付面２１を形成している。前述のとおり、必要に応じて、上下の面の一方側のみにＬＥＤ取付基板４０、ＬＥＤ発光体４１及びレンズ部材３０を取付けることもできる。
【００３９】
フレーム部材２０の左右のフレーム側面２７（図８において左右の側面）には、後述するレンズ保持部材５０と透光性カバー部材１４を取付けるように、凹部が形成されている。
フレーム側面２７の中心に外側に開口したカバー取付凹部２２が形成され、カバー取付凹部２２を両側から包むように横方向に突出して上下に２本のカバー係合突部２４が形成されている。
【００４０】
フレーム側面２７の上下の両端にはカバー係合突部２４と平行に横方向（図８において左右方向）に突出して上下にレンズ押圧係合突部２５が形成されている。カバー係合突部２４とレンズ押圧係合突部２５の間には、横方向の外側に開口したレンズ押圧部取付凹部２３がカバー取付凹部２２を挟んで上下それぞれに形成されている。カバー係合突部２４とレンズ押圧係合突部２５は、両側のフレーム側面２７に形成されている。
【００４１】
図１と図２に示すように、フレーム部材２０のフレーム取付面２１には、ＬＥＤ発光体４１を覆うようにレンズ部材３０が取付けられて、レンズ部材３０を保持するようにレンズ保持部材５０が取付けられている。そして、レンズ部材３０とレンズ保持部材５０は、フレーム部材２０に長手方向に、所定の間隔を置いて複数個並べて取付けられている。このため、長尺の照明モジュール１０においても、長手方向に略均一に発光させることができる。
【００４２】
次に、ＬＥＤ発光体４１について説明する。ＬＥＤ発光体４１は、フレーム部材２０のフレーム取付面２１に取付けられたＬＥＤ取付基板４０に半田付けで取付けられている。    ＬＥＤ発光体４１の表面は封止部材で覆うこともできる。ＬＥＤ取付基板４０からＬＥＤ発光体４１に通電されて、ＬＥＤ発光体４１が発光することができる。
【００４３】
本実施の形態のＬＥＤ発光体４１は、白色又は電球色のものが使用される。このＬＥＤ発光体４１は、青色発光のＬＥＤの表面に蛍光体である蛍光塗料を塗って、白色又は電球色を発光させるものである。蛍光体は、青色を発光するＬＥＤ発光体４１の光の色を白色に変化させるもので、本実施の形態では黄色系の蛍光体を使用して、ＬＥＤ発光体４１の発する青色の光と蛍光体の発する黄色の光が混合されて白色の光を発するものである。その白色光や昼色光を、ＬＥＤチップレンズを使用する場合には、集光して上方へ取出す場合もある。
この白色又は電球色のＬＥＤ発光体４１以外にも、赤色又は緑色等の各種のＬＥＤを使用することができる。
【００４４】
ＬＥＤ取付基板４０は、絶縁材料であるセラミック、例えば、窒化アルミニウム等を使用することができる。ＬＥＤ取付基板４０には、アノード電極とカソード電極が設けられている。アノード電極とカソード電極は、ＬＥＤ発光体４１のそれぞれの電極と接続されるとともに、ＬＥＤ取付基板４０に半田付けされている。
ＬＥＤ取付基板４０の表面は、ＬＥＤ発光体４１から出た光を反射して、光の均一性を向上させることができる。また、ＬＥＤ取付基板４０の表面の色を変えることにより、反射光の色を変えることができる。
【００４５】
次に、レンズ部材３０について説明する。図３に示すように、本実施の形態のレンズ部材３０は、内部の中心にＬＥＤ発光体４１を収納するレンズ部材ＬＥＤ取付凹部３１が形成されている。また、外面の中央部は若干凹んで形成されているが、この形状は光の放出方向に応じて、適宜変更することができる。
【００４６】
レンズ部材３０の下面（図３におけるフレーム部材２０のフレーム取付面に対向する面）にはＬＥＤ取付基板４０に当接するレンズ部材脚部３２が形成されている。
また、図４に示すように、レンズ部材３０の外周の下端には横外方向（図４における左右の方向）に突出するレンズ部材張出部３３が形成されている。レンズ部材張出部３３は、本実施の形態では、左右に２個形成されているが、レンズ部材３０の外周に２個以上、複数個張り出すように形成することも、レンズ部材３０の外周を全体に連続して輪状に囲むように形成することもできる。
【００４７】
レンズ部材３０は、透光性の合成樹脂で作成され、アクリル樹脂又はポリカーボネート樹脂を使用することができる。レンズ部材３０は、アクリル樹脂で形成することが好ましい。アクリル樹脂は透明度が高く、硬度が大きく、傷付き難くすることができる。
また、レンズ部材３０の形状は、使用目的に応じて適宜、変形することができる。レンズ部材３０の形状を変化させることにより、照明モジュール１０から放出される光の角度とパターンを変化させることができる。
さらに、レンズ部材３０は、着色して合成樹脂やガラスを使用すれば、照明モジュール１０から放出される光の色を変えることができる。
【００４８】
次に、レンズ保持部材５０について図５〜図９に基づき説明する。レンズ保持部材５０は、レンズ部材３０の周囲を保持する円形に形成されたレンズ押圧部５１と、レンズ押圧部５１の周囲に一体的にレンズ押圧部５１を挟んで長手方向の両側に対向するように四角形に形成されたフレーム部材２０に係合するフレーム係合部５２が形成される。長手方向の両側とは、図６における左右方向である。このため、レンズ押圧部５１でレンズ部材３０の周囲を保持して、フレーム係合部５２でレンズ保持部材５０をフレーム部材２０に取付けることにより、レンズ部材３０を確実にフレーム部材に保持することができる。
【００４９】
レンズ保持部材５０は、レンズ押圧部５１を挟んで、フレーム係合部５２と、レンズ押圧部５１と、フレーム係合部５２が順に長手方向に直線状に配置されるように形成されている。このため、フレーム部材２０の長手方向に沿って、レンズ押圧部５１の両側をフレーム係合部５２で保持することができ、レンズ部材３０を確実にフレーム部材２０に保持することができる。長尺状のフレーム部材２０においても、多数のレンズ保持部材５０を直線的に並べることができる。
【００５０】
レンズ押圧部５１は、中心にレンズ部材３０の中心が突出可能に、円形のレンズ保持孔５５が形成されている。レンズ保持孔５５からレンズ部材３０を突出させて、レンズ部材３０を保持するとともに、ＬＥＤ発光体４１の光をレンズ保持孔５５から効率よく放射することができる。
レンズ押圧部５１とレンズ保持孔５５の形状は、レンズ部材３０の形状に合わせて変えることができ、楕円形や多角形にすることもできる。
【００５１】
レンズ保持部材５０のフレーム係合部５２は、レンズ押圧部５１から一体的に平面状に形成されるレンズ係合平面部５３と、レンズ係合平面部５３の幅方向（レンズ保持部材５０の長手方向に対して直交する方向）の両側に形成され、フレーム部材２０のレンズ押圧部取付凹部２３に係合するフレーム係合取付部５４を有する。
【００５２】
レンズ係合平面部５３は、所定の面積を有するため、レンズ係合平面部５３でＬＥＤ発光体４１から出る光を反射することができ、照明モジュール１０から出る照明光の均一性を向上させることができる。レンズ係合平面部５３の表面の色を変えることにより、反射光の強さと色を調整することができる。また、レンズ係合平面部５３の色を変えることにより、反射光の色を変えて、照明光の色調を変えることができる。レンズ係合平面部５３を黒くすると、反射光を弱くして、照明光をマイルドにすることができる。
【００５３】
また、レンズ係合平面部５３のフレーム部材２０と当接する部分の長さを長くすることにより、レンズ係合平面部５３の側端に形成されるフレーム係合取付部５４をレンズ係合平面部５３の長さに応じて所定の幅で形成することができ、フレーム係合取付部５４の保持力を確保することができる。
【００５４】
フレーム係合取付部５４は、図５に示すように、レンズ係合平面部５３から上方に屈曲して、更に断面逆Ｊ字形に下面側に延設して形成されている。さらに、図３に示すように、フレーム係合取付部５４の先端に、フレーム部材２０のレンズ押圧部取付凹部２３に係止されるフレーム係合取付係止爪部５７が形成されている。
【００５５】
これにより、フレーム係合部５２のレンズ係合平面部５３から屈曲して下面側に延設されたフレーム係合取付部５４が、弾性的に撓んで容易にフレーム部材２０に取付けることができるとともに、フレーム係合取付係止爪部５７がフレーム部材２０のレンズ押圧部取付凹部２３に係止されて、確実にレンズ保持部材５０をフレーム部材２０に係止することができる。
【００５６】
図７に示すように、レンズ保持部材５０の裏面に、補強リブ５６を形成することができる。補強リブ５６は、レンズ押圧部５１とフレーム係合部５２の両方に形成することができる。補強リブ５６により、レンズ保持部材５０の剛性が向上して、確実にレンズ部材３０を保持するとともに、フレーム係合部５２が強固にフレーム部材２０に係合することができる。
【００５７】
次に図３に基づき、フレーム部材２０にＬＥＤ発光体４１、レンズ部材３０及びレンズ保持部材５０を組付けた状態について説明する。
上述のように、フレーム部材２０のフレーム取付面２１にＬＥＤ取付基板４０が取付けられて、ＬＥＤ取付基板４０にＬＥＤ発光体４１が取付けられている。
【００５８】
ＬＥＤ発光体４１を覆うようにレンズ部材３０が取付けられている。レンズ部材３０のレンズ部材脚部３２がＬＥＤ取付基板４０に当接して、ＬＥＤ発光体４１をレンズ部材ＬＥＤ取付凹部３１の部分に保持している。このとき、レンズ部材張出部３３をレンズ保持部材５０のレンズ押圧部５１が押圧して、レンズ部材３０を保持している。レンズ部材３０の中央部は、レンズ保持部材５０のレンズ保持孔５５から出ている。
【００５９】
この時、レンズ保持部材５０のフレーム係合部５２がフレーム部材２０に係合している。すなわち、レンズ保持部材５０のフレーム係合取付部５４が撓んでフレーム係合取付係止爪部５７がフレーム部材２０のレンズ押圧部取付凹部２３に係合して、レンズ保持部材５０をフレーム部材２０に係止している。そして、レンズ押圧部５１がレンズ部材張出部３３をレンズ押圧部５１が押圧することができる。これにより、ＬＥＤ発光体４１の発熱や、外気の温度変化によっても、確実にレンズ部材３０を保持することができ、レンズ部材３０が外れることを防止できる。
【００６０】
なお、フレーム部材２０、レンズ部材３０及びレンズ保持部材５０の全体の外周を、パイプ状の透光性カバー部材１４で覆っている。透光性カバー部材１４には内周方向に延びる透光性カバー部材係合突条１４ａが形成されている。透光性カバー部材係合突条１４ａは、フレーム部材２０のカバー取付凹部２２に係合されている。長尺状の照明モジュール１０の全体を透光性カバー部材１４で覆うことができ、照明モジュール１０を保護するとともに、長手方向に略均一に或いは所定の色調で発光させることができる。
【符号の説明】
【００６１】
１０  照明モジュール
２０  フレーム部材
３０  レンズ部材
３３  レンズ部材張出部
４０  ＬＥＤ取付基板
４１  ＬＥＤ発光体
５０  レンズ保持部材
５１  レンズ押圧部
５２  フレーム係合部
５３  レンズ係合平面部
５４  フレーム係合取付部
【図１】
2018041574.tif 000003
【図２】
2018041574.tif 000004
【図３】
2018041574.tif 000005
【図４】
2018041574.tif 000006
【図５】
2018041574.tif 000007
【図６】
2018041574.tif 000008
【図７】
2018041574.tif 000009
【図８】
2018041574.tif 000010
【図９】
2018041574.tif 000011